(57)【要約】      （修正有）【課題】ゴルフプレイヤー自身が操作性を向上させるため、それぞれ複数のシャフト、ヘッド、ネック、ソールの組合せを専門の工具で、ガタ付き無く固定できる接合方式を備え、ゴルフプレイヤー自身がシャフトとヘッドの接合をガタ付きなく組立可能なシャフトとヘッドの接合方法を提供する。【解決手段】シャフトの先端ホーゼル凹部八角錐形状とネック又は固定ピース凹部八角錐形状の間にラグビーボール接続カラー７を包み込むように被せ固定し正しくまっすぐに組み立てられるよう構成する。シャフトとヘッドの接合にあたり、ゴルフプレイヤーがつりあいが取れる位置を前後左右方向に移動調整できる。尚、上下の重さとつり合う向きの調整は、ヘッドとソールの接合により調整できる。【選択図】図１
2018175117.tif 000002
【特許請求の範囲】
【請求項１】
それぞれ複数のシャフトとヘッド、又はシャフトとネックとヘッド及びソールを着脱自在に固定する手段からなるゴルフパター組立セットにおいて、シャフトとネックとヘッドの固定手段は、シャフト先端のホーゼル部アルミのカラーが８角錐の凹形状で、多少角度をかえた形状を有し、ラグビーボール形状の８角錐の樹脂材で出来た八面体をアルミネック凹形状で包み込むようにはさみネックの凸形状部を固定ピースの八角錐凹形状と組合せヘッド溝にはめ込むラグビーボール接続カラーを中間に介しヘッドをネジで固定するように構成したことを特徴とするシャフトとネックとヘッドの接合方式。
【請求項２】
ヘッド固定手段は、固定ピースに設けられた切り欠き孔を有した八角錐凸部にシャフト先端ホーゼル部八角錐凹部をセットし、ホーゼル部シャフトに設けられた円筒状のネジ孔に既定のネジを挿入し、ホーゼル部八角錐の外周面を押圧することでヘッドをシャフトにガタ付くことなく固定するように構成したことを特徴とする請求項１記載の接合方式。
【請求項３】
固定ピース係合は、ネジ締めされるとヘッド凹部に押圧入されシャフトホーゼル部八角錐面に押圧するよう構成したことを特徴とする請求項１及び２記載の接合方式。
【請求項４】
固定ピース係合部は、前記ネジ締めでかかる力をラグビーボール接続カラーが保持し多少のしなりを生むことを特徴とする請求項１乃至３のいずれか１記載の接合方式。
【請求項５】
シャフトとネックとヘッドの接合とヘッドとソールの接合、二ヶ所以上の接合部を有するゴルフパター組立セットにおいて、つり合う位置を前後左右上下六方向に自在に調整できる接合に構成したことを特徴とする請求項１乃至４記載の接合方式。
【請求項６】
ラグビーボール接続カラーは係合部に挟み込まれる樹脂材料部品で、固有振動数を変えることが出来る構造に特徴がある請求項１乃至５記載の接合方式。
【発明の詳細な説明】
【技術分野】
【０００１】
ゴルフパターのネック及びシャフトのヘッドに対する位置関係
パターヘッド及び  シャフト、ネックとの接合によりストロークしやすい位置に固定出来,ストローク時のソフトな打感を実現した。
ストローク打撃時に振動を生み出す為に接合部中間に異なる材質を挟み込むことにより、固有振動が変わることによって、振動が直接手元に伝わらない。
パターヘッドにソールを接合する際、材質や形状を変える事で、ストロークしやすい重さに固定出来る。
【背景技術】
【０００２】
シャフト及びネックとヘッドの接合に８角錐形状を背中合わせにしたラグビーボール形状の樹脂材料で、８方向の向きに固定出来る係合部を有し、専門の工具を使いネジでガタつき無く固定し、アルミソケットで両方から被せ止める構造によりボールを打ったフェース面の振動を樹脂材料が固有振動を変えることにより、直接手元に伝わらない、ソフトな打感を生み出す組立の機構の発明。
ゴルフパターのつりあいが取れる位置を、シャフトとヘッドの接合とヘッドとソールの接合の二ヶ所で、前後左右上下六方向につりあいが取れる向きに位置調整出来る構成の発明。
【発明の概要】
【発明が解決しようとする課題】
【０００３】
ゴルフプレイヤー自身が操作性を向上させるため、それぞれ複数のシャフト、ヘッド、ネック、ソールの組合せを専門の工具で、ガタ付き無く固定できる接合方式が無いため、ゴルフプレイヤー自身がシャフトとヘッドの接合をガタ付きなく組立できない点、またゴルフプレイヤー自身が意図する通り、操作性と打感を向上させるための用具を調整できない点。
【課題を解決するための手段】
【０００４】
シャフトの先端ホーゼル凹部八角錐形状とネック又は固定ピース凹部八角錐形状の間にラクビーボール形状を包み込むように被せ固定し正しくまっすぐに組み立てられる。
シャフト先端ホーゼル部とヘッドとの接合はネジ止めによって固定締結するものであるため、プレイ中に緩んでヘッドがガタついてしまう不具合が生じる恐れがあり、前記接合部に樹脂材料固定ピースを挿着し、緩みを回避する。
シャフトとヘッドの接合にあたり、ゴルフプレイヤーがつりあいが取れる位置を前後左右方向に移動調整できる。尚、上下の重さとつり合う向きの調整は、ヘッドとソールの接合により調整できる。
【発明の効果】
【０００５】
請求項１の発明とすることで、それぞれ複数あるシャフトとヘッドの選択肢から、前記の固定は、ゴルフプレイヤー自身が操作性と打感を向上させるため、意図する通り接合を簡単かつ迅速にできるだけでなく、八角錐の固定ピースを介しての確実な固定操作ができることになる。
請求項２の発明とすることで、前記ヘッド裏面よりシャフトホーゼル雄ネジ部に対してネジを押圧入するだけで固定ピースの係合部が密着して、ヘッドとネック及び、シャフトに固定されるために、短時間の作業で確実に出来る。
請求項３の発明とすることで、固定ピースの樹脂材はシャフトホーゼル部凹形状をネジの押圧入で接合面を密着させ、ヘッドをシャフトに確実に固定したものにすることが出来る。
請求項４の発明とすることで、プレイヤーがストローク時にソフトな打感を得ることが出来る。
請求項５の発明とすることで、プレイヤー自身が複数のシャフト、ネック、ヘッド、ソールの組合せを短時間の作業で確実に接合させ、意図された前後左右上下六方向につり合いが取れる位置へ移動すること、ヘッド部に重りを加えられる構造によりつり合う位置の３軸方向への移動結果を直接インパクト面に伝達することが出来、操作性を向上させる組合せを探求出来る。
請求項６の発明とすることで、シャフト、ネック、ヘッドの金属材の中間に樹脂材料が挟み込まれ固有振動を変えることにより、打撃の振動が手元に伝わらないように出来る。
【図面の簡単な説明】
【０００６】
【図１】図１は、本発明によるパターシャフトとヘッドの接続機構にて構成された全体的な構造、形状を示した説明図である。（実施例１と実施例２）
【図２】図２は、パターヘッドを後方から見たパターヘッド周辺の構造形状を示した説明図である。（実施例１）
【図３】図３は、ネック(2)と固定ピース(3)、ラクビーボール接続カラー(7),シャフトホーゼル部(4),ヘッドを結合させるネジ（6）を示した説明図である。（実施例3）
【図４】図４は、ソール（5）とヘッドの結合させるネジ孔を示した説明図である。（実施例4）
【図５】図５は、固定ピースの切り欠き孔を示した説明図である。
【発明を実施するための形態】
【０００７】
本発明が実施された形態のゴルフパターであって、前記ゴルフパター接合方式を構成する。シャフト先端ホーゼル部（4）、ネック（2）、固定ピース（3）、ヘッド（1）、ソール（5）、ラグビーボール接続カラー(7)のそれぞれ選択された用具で接合できるようになっており、以下、この固定構造について詳述する。
【符号の説明】
【０００８】
1パターヘッド
2ネック
3固定ピース
4シャフトホーゼル部
5ソール
6ネジ
7ラグビーボール接続カラー
【図１】
2018175117.tif 000003
【図２】
2018175117.tif 000004
【図３】
2018175117.tif 000005
【図４】
2018175117.tif 000006
【図５】
2018175117.tif 000007